【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
被検眼において測定光を走査する走査手段と、
前記走査手段を介して前記測定光を照射した前記被検眼からの戻り光と前記測定光に対応する参照光との合波光に基づいて、前記被検眼の断層画像のプレビュー画像を取得する断層画像取得手段と、
前記プレビュー画像と前記プレビュー画像の画質に関する情報とを表示手段に表示させる制御手段と、
を有することを特徴とする撮像装置。
【請求項２】
前記断層画像取得手段は、前記被検眼の断層画像を取得する指示により、前記走査手段を介して前記測定光を照射した前記被検眼からの戻り光と前記測定光に対応する参照光との合波光に基づいて、前記被検眼の断層画像を取得し、
前記制御手段は、前記プレビュー画像と前記プレビュー画像の画質に関する情報とを前記表示手段に表示させた後、前記指示により得た断層画像と前記指示により得た断層画像の画質に関する情報とを前記表示手段に表示させることを特徴とする請求項１に記載の撮像装置。
【請求項３】
前記制御手段は、前記プレビュー画像と前記プレビュー画像の画質に関する情報とを前記表示手段の同一の画面に並べて表示させた後、前記指示により得た断層画像と前記指示により得た断層画像の画質に関する情報とを前記表示手段の同一の画面に並べて表示させることを特徴とする請求項２に記載の撮像装置。
【請求項４】
前記制御手段は、前記プレビュー画像と前記プレビュー画像の画質に関する情報とを前記表示手段に表示させた状態で前記被検眼の断層画像を取得する指示が実行された後、前記プレビュー画像と前記プレビュー画像の画質に関する情報とが表示された画面から、前記指示により得た断層画像と前記指示により得た断層画像の画質に関する情報とが表示される画面に、前記表示手段の表示画面を自動的に変更することを特徴とする請求項２または３に記載の撮像装置。
【請求項５】
前記制御手段は、前記プレビュー画像と前記プレビュー画像の画質に関する情報とを前記表示手段に表示させた状態で前記指示により前記被検眼の断層画像が得られた後、前記プレビュー画像と前記プレビュー画像の画質に関する情報とが表示された画面から、前記指示により得た断層画像と前記指示により得た断層画像の画質に関する情報とが表示される画面に、前記表示手段の表示画面を自動的に変更することを特徴とする請求項２乃至４のいずれか１項に記載の撮像装置。
【請求項６】
被検眼において測定光を走査する走査手段と、
前記被検眼の断層画像を取得する指示により、前記走査手段を介して前記測定光を照射した前記被検眼からの戻り光と前記測定光に対応する参照光との合波光に基づいて、前記被検眼の断層画像を取得する断層画像取得手段と、
前記指示により得た断層画像と前記指示により得た断層画像の画質に関する情報とを表示手段に表示させる制御手段と、
を有することを特徴とする撮像装置。
【請求項７】
前記制御手段は、前記被検眼の断層画像を取得する指示が実行された後、前記表示手段の表示画面を、前記指示により得た断層画像と前記画質に関する情報とが表示される画面に自動的に変更することを特徴とする請求項６に記載の撮像装置。
【請求項８】
前記制御手段は、前記指示により前記被検眼の断層画像が得られた後、前記表示手段の表示画面を、前記指示により得た断層画像と前記画質に関する情報とが表示される画面に自動的に変更することを特徴とする請求項６または７に記載の撮像装置。
【請求項９】
前記制御手段は、前記指示により得た断層画像が失敗である場合のボタンを、前記指示により得た断層画像と前記画質に関する情報とが表示される画面に表示させ、前記失敗である場合のボタンへの指示により前記表示手段の表示画面を変更前の画面に自動的に戻すことを特徴とする請求項７または８に記載の撮像装置。
【請求項１０】
前記制御手段は、前記指示により得た断層画像と前記指示により得た断層画像の画質に関する情報と前記指示により得た断層画像を保存する保存ボタンと前記指示により得た断層画像が失敗である場合のボタンとを前記表示手段の同一画面に表示させることを特徴とする請求項２乃至９のいずれか１項に記載の撮像装置。
【請求項１１】
前記制御手段は、前記指示により得た断層画像の画質に関する情報として、前記指示により得た断層画像の良否の判断に関する情報を、前記表示手段に表示させることを特徴とする請求項２乃至１０のいずれか１項に記載の撮像装置。
【請求項１２】
前記制御手段は、前記指示により得た断層画像の画質に関する情報として、前記指示により得た断層画像の枠の強調に関する情報を、前記表示手段に表示させることを特徴とする請求項２乃至１０のいずれか１項に記載の撮像装置。
【請求項１３】
前記制御手段は、前記プレビュー画像の画質に関する情報として、前記プレビュー画像の明るさを示すインジケータを、前記表示手段に表示させることを特徴とする請求項１乃至５のいずれか１項に記載の撮像装置。
【請求項１４】
前記制御手段は、前記プレビュー画像の画質に関する情報として、前記プレビュー画像の輝度値の最大値と背景ノイズの輝度値との比に関する情報を、前記表示手段に表示させることを特徴とする請求項１乃至５のいずれか１項に記載の撮像装置。
【請求項１５】
被検眼において測定光を走査する走査手段と、
前記走査手段を介して前記測定光を照射した前記被検眼からの戻り光と前記測定光に対応する参照光との合波光に基づいて、前記被検眼の断層画像のプレビュー画像を取得し、前記被検眼の断層画像を取得する指示により、前記走査手段を介して前記測定光を照射した前記被検眼からの戻り光と前記測定光に対応する参照光との合波光に基づいて、前記被検眼の断層画像を取得する断層画像取得手段と、
前記プレビュー画像を表示手段に表示させた状態で前記被検眼の断層画像を取得する指示が実行された後、前記プレビュー画像が表示された画面から、前記指示により得た断層画像が表示される画面に、前記表示手段の表示画面を自動的に変更する制御手段と、
を有することを特徴とする撮像装置。
【請求項１６】
前記制御手段は、前記プレビュー画像を表示手段に表示させた状態で前記指示により前記被検眼の断層画像が得られた後、前記プレビュー画像が表示された画面から、前記指示により得た断層画像が表示される画面に、前記表示手段の表示画面を自動的に変更することを特徴とする請求項１５に記載の撮像装置。
【請求項１７】
前記制御手段は、前記指示により得た断層画像が失敗である場合のボタンを前記指示により得た断層画像が表示される画面に表示させ、前記失敗である場合のボタンへの指示により前記表示手段の表示画面を前記プレビュー画像が表示される画面に自動的に戻すことを特徴とする請求項１６に記載の撮像装置。
【請求項１８】
前記制御手段は、前記指示により得た断層画像と前記指示により得た断層画像を保存する保存ボタンと前記指示により得た断層画像が失敗である場合のボタンとを前記表示手段の同一画面に表示させることを特徴とする請求項１５乃至１７のいずれか１項に記載の撮像装置。
【請求項１９】
前記制御手段は、前記被検眼の略同一位置の断層画像を繰り返し取得して得たＢスキャン画像を前記プレビュー画像として前記表示手段に順次表示させることを特徴とする請求項１乃至５、１３乃至１８のいずれか１項に記載の撮像装置。
【請求項２０】
前記制御手段は、前記表示手段に表示されたタブへの指示により、前記表示手段の表示画面を変更することを特徴とする請求項１乃至１９のいずれか１項に記載の撮像装置。
【請求項２１】
測定光を照射した被検眼からの戻り光と前記測定光に対応する参照光との合波光に基づいて、前記被検眼の断層画像のプレビュー画像を取得する断層画像取得手段と、
前記プレビュー画像と前記プレビュー画像の画質に関する情報とを表示手段に表示させる制御手段と、
を有することを特徴とする制御装置。
【請求項２２】
前記断層画像取得手段は、前記被検眼の断層画像を取得する指示により、前記測定光を照射した前記被検眼からの戻り光と前記測定光に対応する参照光との合波光に基づいて、前記被検眼の断層画像を取得し、
前記制御手段は、前記プレビュー画像と前記プレビュー画像の画質に関する情報とを前記表示手段に表示させた後、前記指示により得た断層画像と前記指示により得た断層画像の画質に関する情報とを前記表示手段に表示させることを特徴とする請求項２１に記載の制御装置。
【請求項２３】
前記制御手段は、前記プレビュー画像と前記プレビュー画像の画質に関する情報とを前記表示手段の同一の画面に並べて表示させた後、前記指示により得た断層画像と前記指示により得た断層画像の画質に関する情報とを前記表示手段の同一の画面に並べて表示させることを特徴とする請求項２２に記載の制御装置。
【請求項２４】
前記制御手段は、前記プレビュー画像と前記プレビュー画像の画質に関する情報とを前記表示手段に表示させた状態で前記被検眼の断層画像を取得する指示が実行された後、前記プレビュー画像と前記プレビュー画像の画質に関する情報とが表示された画面から、前記指示により得た断層画像と前記指示により得た断層画像の画質に関する情報とが表示される画面に、前記表示手段の表示画面を自動的に変更することを特徴とする請求項２２または２３に記載の制御装置。
【請求項２５】
前記制御手段は、前記プレビュー画像と前記プレビュー画像の画質に関する情報とを前記表示手段に表示させた状態で前記指示により前記被検眼の断層画像が得られた後、前記プレビュー画像と前記プレビュー画像の画質に関する情報とが表示された画面から、前記指示により得た断層画像と前記指示により得た断層画像の画質に関する情報とが表示される画面に、前記表示手段の表示画面を自動的に変更することを特徴とする請求項２２乃至２４のいずれか１項に記載の制御装置。
【請求項２６】
被検眼の断層画像を取得する指示により、測定光を照射した前記被検眼からの戻り光と前記測定光に対応する参照光との合波光に基づいて、前記被検眼の断層画像を取得する断層画像取得手段と、
前記指示により得た断層画像と前記指示により得た断層画像の画質に関する情報とを表示手段に表示させる制御手段と、
を有することを特徴とする制御装置。
【請求項２７】
前記制御手段は、前記被検眼の断層画像を取得する指示が実行された後、前記表示手段の表示画面を、前記指示により得た断層画像と前記画質に関する情報とが表示される画面に自動的に変更することを特徴とする請求項２６に記載の制御装置。
【請求項２８】
前記制御手段は、前記指示により前記被検眼の断層画像が得られた後、前記表示手段の表示画面を、前記指示により得た断層画像と前記画質に関する情報とが表示される画面に自動的に変更することを特徴とする請求項２６または２７に記載の制御装置。
【請求項２９】
前記制御手段は、前記指示により得た断層画像が失敗である場合のボタンを、前記指示により得た断層画像と前記画質に関する情報とが表示される画面に表示させ、前記失敗である場合のボタンへの指示により前記表示手段の表示画面を変更前の画面に自動的に戻すことを特徴とする請求項２７または２８に記載の制御装置。
【請求項３０】
前記制御手段は、前記指示により得た断層画像と前記指示により得た断層画像の画質に関する情報と前記指示により得た断層画像を保存する保存ボタンと前記指示により得た断層画像が失敗である場合のボタンとを前記表示手段の同一画面に表示させることを特徴とする請求項２２乃至２９のいずれか１項に記載の制御装置。
【請求項３１】
前記制御手段は、前記指示により得た断層画像の画質に関する情報として、前記指示により得た断層画像の良否の判断に関する情報を、前記表示手段に表示させることを特徴とする請求項２２乃至３０のいずれか１項に記載の制御装置。
【請求項３２】
前記制御手段は、前記指示により得た断層画像の画質に関する情報として、前記指示により得た断層画像の枠の強調に関する情報を、前記表示手段に表示させることを特徴とする請求項２２乃至３０のいずれか１項に記載の制御装置。
【請求項３３】
前記制御手段は、前記プレビュー画像の画質に関する情報として、前記プレビュー画像の明るさを示すインジケータを、前記表示手段に表示させることを特徴とする請求項２１乃至２５のいずれか１項に記載の制御装置。
【請求項３４】
前記制御手段は、前記プレビュー画像の画質に関する情報として、前記プレビュー画像の輝度値の最大値と背景ノイズの輝度値との比に関する情報を、前記表示手段に表示させることを特徴とする請求項２１乃至２５のいずれか１項に記載の制御装置。
【請求項３５】
測定光を照射した被検眼からの戻り光と前記測定光に対応する参照光との合波光に基づいて、前記被検眼の断層画像のプレビュー画像を取得し、前記被検眼の断層画像を取得する指示により、前記測定光を照射した前記被検眼からの戻り光と前記測定光に対応する参照光との合波光に基づいて、前記被検眼の断層画像を取得する断層画像取得手段と、
前記プレビュー画像を表示手段に表示させた状態で前記被検眼の断層画像を取得する指示が実行された後、前記プレビュー画像が表示された画面から、前記指示により得た断層画像が表示される画面に、前記表示手段の表示画面を自動的に変更する制御手段と、
を有することを特徴とする制御装置。
【請求項３６】
前記制御手段は、前記プレビュー画像を表示手段に表示させた状態で前記指示により前記被検眼の断層画像が得られた後、前記プレビュー画像が表示された画面から、前記指示により得た断層画像が表示される画面に、前記表示手段の表示画面を自動的に変更することを特徴とする請求項３５に記載の制御装置。
【請求項３７】
前記制御手段は、前記指示により得た断層画像が失敗である場合のボタンを前記指示により得た断層画像が表示される画面に表示させ、前記失敗である場合のボタンへの指示により前記表示手段の表示画面を前記プレビュー画像が表示される画面に自動的に戻すことを特徴とする請求項３６に記載の制御装置。
【請求項３８】
前記制御手段は、前記指示により得た断層画像と前記指示により得た断層画像を保存する保存ボタンと前記指示により得た断層画像が失敗である場合のボタンとを前記表示手段の同一画面に表示させることを特徴とする請求項３５乃至３７のいずれか１項に記載の制御装置。
【請求項３９】
前記制御手段は、前記被検眼の略同一位置の断層画像を繰り返し取得して得たＢスキャン画像を前記プレビュー画像として前記表示手段に順次表示させることを特徴とする請求項２１乃至２５、３３乃至３８のいずれか１項に記載の制御装置。
【請求項４０】
前記制御手段は、前記表示手段に表示されたタブへの指示により、前記表示手段の表示画面を変更することを特徴とする請求項２１乃至３９のいずれか１項に記載の制御装置。
【請求項４１】
前記被検眼において前記測定光を走査する走査手段を有する撮像装置を制御することを特徴とする請求項２１乃至４０のいずれか１項に記載の制御装置。
【請求項４２】
測定光を照射した被検眼からの戻り光と前記測定光に対応する参照光との合波光に基づいて、前記被検眼の断層画像のプレビュー画像を取得する工程と、
前記プレビュー画像と前記プレビュー画像の画質に関する情報とを表示手段に表示させる工程と、
を有することを特徴とする制御方法。
【請求項４３】
被検眼の断層画像を取得する指示により、測定光を照射した前記被検眼からの戻り光と前記測定光に対応する参照光との合波光に基づいて、前記被検眼の断層画像を取得する工程と、
前記指示により得た断層画像と前記指示により得た断層画像の画質に関する情報とを表示手段に表示させる工程と、
を有することを特徴とする制御方法。
【請求項４４】
測定光を照射した被検眼からの戻り光と前記測定光に対応する参照光との合波光に基づいて、前記被検眼の断層画像のプレビュー画像を取得し、前記被検眼の断層画像を取得する指示により、前記測定光を照射した前記被検眼からの戻り光と前記測定光に対応する参照光との合波光に基づいて、前記被検眼の断層画像を取得する工程と、
前記プレビュー画像を表示手段に表示させた状態で前記被検眼の断層画像を取得する指示が実行された後、前記プレビュー画像が表示された画面から、前記指示により得た断層画像が表示される画面に、前記表示手段の表示画面を自動的に変更する工程と、
を有することを特徴とする制御方法。
【請求項４５】
請求項４２乃至４４のいずれか１項に記載の制御方法の各工程をコンピュータに実行させるプログラム。
【手続補正２】
【補正対象書類名】明細書
【補正対象項目名】０００６
【補正方法】変更
【補正の内容】
【０００６】
本発明に係る撮像装置の一つは、
被検眼において測定光を走査する走査手段と、前記走査手段を介して前記測定光を照射した前記被検眼からの戻り光と前記測定光に対応する参照光との合波光に基づいて、前記被検眼の断層画像のプレビュー画像を取得する断層画像取得手段と、前記プレビュー画像と前記プレビュー画像の画質に関する情報とを表示手段に表示させる制御手段と、を有する。